(57)【要約】【課題】採光面積を大きく確保し、明るく快適な室内空間とすることが可能な網戸及び該網戸を備える開口部装置を提供する。【解決手段】建物開口部の４辺に沿って取り付けられた枠体内に配置される網戸１０において、一対の縦框１２、１２及び一対の横框１１、１１が組み合わされて枠状に形成される框と、網状の面材で框内に配設される網材１３とを備え、一対の縦框又は一対の横框のうちの少なくとも一方が建物の開口部開口に沿った方向に力を加えて弾性的に変形させられることにより、幅又は高さを変えることができることを特徴とする。【選択図】図２
2007186864.tif 000002
【特許請求の範囲】
【請求項１】
建物開口部の４辺に沿って取り付けられた枠体内に配置される網戸であって、
一対の縦框及び一対の横框が組み合わされて枠状に形成される框と、
網状の面材で前記框内に配設される網材と、を備え、
前記一対の縦框又は前記一対の横框のうちの少なくとも一方が前記建物開口部の開口に沿った方向に力を加えて弾性的に変形させられることにより、幅又は高さを変えることができることを特徴とする網戸。
【請求項２】
前記一対の縦框又は前記一対の横框のうち前記変形させられる方の該一対の縦框又は一対の横框が他方の前記一対の縦框又は一対の横框よりも細く形成されることにより、細く形成された方が変形し易くされていることを特徴とする請求項１に記載の網戸。
【請求項３】
建物開口部の４辺に沿って取り付けられた枠体と、該枠体内に配置された網戸とを備えた開口部装置であって、
前記網戸が、
一対の縦框及び一対の横框が組み合わされて枠状に形成される框と、
網状の面材で前記框内に配設される網材と、を備え、
前記一対の縦框又は前記一対の横框のうちの少なくとも一方が前記建物開口部の開口に沿った方向に力を加えて弾性的に変形させられることにより、幅又は高さを変えることができ、
前記網戸が配置されたときに、前記一対の縦框又は前記一対の横框のうちの少なくとも一方の一部又は全部が室内側又は室外側正面視で前記枠体の内側に隠蔽されることを特徴とする開口部装置。
【請求項４】
前記網戸の変形可能な前記一対の縦框又は一対の横框が、コの字型断面を有し、該一対の縦框又は一対の横框の長手方向に沿って設けられる係合部を備え、
前記枠体が、前記係合部が配置される部位に対応する位置に配置され、該係合部とは反対の向きに開口するコの字型断面を有する被係合部を備え、
前記網戸の通常時には、前記係合部と前記被係合部とが係合して前記網戸と前記枠体とが固定して取り付けられ、
前記網戸の変形時には、前記係合部と前記被係合部とが離脱して前記枠体から前記網戸を取り外すことが可能となることを特徴とする請求項３に記載の開口部装置。
【発明の詳細な説明】
【技術分野】
【０００１】
本発明は、戸建やマンション、オフィスビルや公共施設等の建物の開口部に備えられる網戸及び該網戸を備える開口部装置に関し、詳しくは採光部を大きく確保することのできる網戸及び該網戸を備える開口部装置に関する。
【背景技術】
【０００２】
近年、建物に対する需要者の要求は多様化し、より快適で機能性の高い建物が必要とされている。かかる事情により建物の随所に適用される該建物の各構成要素の各々にも快適で機能性の高いものが採用される傾向にある。
【０００３】
建物開口部に設けられる網戸及び該網戸を有する開口部装置も例外ではない。該網戸は、網戸の室内側又は室外側に配置された窓等が開放されたときに、ハエ・蚊等の不快な害虫が室内に侵入することを防ぐことを目的とした網状の面材を有する戸体である。網戸にはこの目的に加えて、例えば該網戸が建物開口部に配置されたときの室内空間の快適性を維持すること、又は清掃のための着脱の容易性等が求められる。
【０００４】
従来の網戸は網状の面材である網材と、該網材の４辺に配置される框とを備えている。網材はその４辺の端部を框に固定されることによって所定の張りを有して框に取り付けられる。そしてこのように構成された網戸が開口部装置に取り付けられている。
【０００５】
図１１は、従来の開口部装置の一態様である開口部装置５００が建物開口部に取り付けられた場合における室内側正面図である。図１１ではＬで示した縁の外側は建物の内壁を表している。開口部装置５００は、建物開口部に沿って取り付けられた枠体と、該枠体の内側に配置された障子（窓）と、該障子の室内側に設けられた網戸５１０とを備えている。障子は網戸５１０の室外側に配置されているので、図１１では見えない。該障子は、網戸５１０の下方に設けられ室内側に延在する操作部５９５を操作して開閉させることができる。本態様における障子はいわゆる突出し窓である。
【０００６】
網戸５１０は網材５１３と、該網材５１３の４辺に取り付けられた横框５１１、５１１、縦框５１２、５１２とを備えている。そして該網戸５１０が開口部装置５００に取り付けられた姿勢においても室内側から横框５１１、５１１、縦框５１２、５１２が正面視で見えるように構成されている。このような網戸５１０を有する開口部装置５００の構成を開示する文献は特にないが、当業者により通常に採用されているものであり、実際の網戸はかかる構成を有して建物に取り付けられている。
【発明の開示】
【発明が解決しようとする課題】
【０００７】
しかし、図１１からわかるように開口部装置５００に備えられる従来の網戸５１０では、横框５１１、５１１、縦框５１２、５１２が室内側正面視で視認可能である。これにより網材５１３の面積が小さくなり、採光面積が小さくなる問題があった。
【０００８】
また、横框５１１、５１１、縦框５１２、５１２が網材５１３を厚く縁取って見えるので開口部が小さく見えてしまうという意匠上の問題もあった。
【０００９】
そこで本発明は、採光面積を大きく確保し、明るく快適な室内空間とすることが可能な網戸及び該網戸を備える開口部装置を提供することを課題とする。
【課題を解決するための手段】
【００１０】
以下、本発明について説明する。なお、本発明の理解を容易にするために添付図面の参照符号を括弧書きにて付記するが、それにより本発明が図示の形態に限定されるものではない。
【００１１】
請求項１に記載の発明は、建物開口部の４辺に沿って取り付けられた枠体（９０）内に配置される網戸（１０）であって、一対の縦框（１２、１２）及び一対の横框（１１、１１）が組み合わされて枠状に形成される框と、網状の面材で框内に配設される網材（１３）とを備え、一対の縦框又は一対の横框のうちの少なくとも一方が建物開口部の開口に沿った方向に力を加えて弾性的に変形させられることにより、幅又は高さを変えることができることを特徴とする網戸を提供することにより前記課題を解決する。
【００１２】
ここで、「力を加えて弾性的に変形させる」とは、通常の人の操作による力によって弾性的に変形させることができる意味である。変形の程度は特に限定されるものではないが、最も変形が大きい部位で３ｍｍ以上の移動があることが好ましい。
【００１３】
請求項２に記載の発明は、請求項１に記載の網戸（１０）の一対の縦框（１２、１２）又は一対の横框（１１、１１）のうち変形させられる方の該一対の縦框又は一対の横框が他方の一対の縦框又は一対の横框よりも細く形成されることにより、細く形成された方が変形し易くされていることを特徴とする。
【００１４】
請求項３に記載の発明は、建物開口部の４辺に沿って取り付けられた枠体（９０）と、該枠体内に配置された網戸（１０）とを備えた開口部装置（１００）であって、網戸が、一対の縦框（１２、１２）及び一対の横框（１１、１１）が組み合わされて枠状に形成される框と、網状の面材で框内に配設される網材（１３）とを備え、一対の縦框又は一対の横框のうちの少なくとも一方が建物開口部の開口に沿った方向に力を加えて弾性的に変形させられることにより、幅又は高さを変えることができ、網戸が配置されたときに、一対の縦框又は一対の横框のうちの少なくとも一方の一部又は全部が室内側又は室外側正面視で枠体の内側に隠蔽されることを特徴とする開口部装置を提供することにより前記課題を解決する。
【００１５】
ここで、「一部又は全部が室外側又は室内側正面視で枠体の内側に隠蔽されて配置される。」の「一部」とは、室外側又は室内側正面視で網戸の框が従来の開口部装置と比較して多く隠蔽されていれば良い。具体的には一本の框の幅の４０％以上が隠蔽されていることが好ましい。
【００１６】
請求項４に記載の発明は、請求項３に記載の開口部装置（１００）の網戸（１０）の変形可能な一対の縦框（１２、１２）又は一対の横框（１１、１１）が、コの字型断面を有し、該一対の縦框又は一対の横框の長手方向に沿って設けられる係合部（２０、２０）を備え、枠体（９０）が、係合部が配置される部位に対応する位置に配置され、該係合部とは反対の向きに開口するコの字型断面を有する被係合部（９１、９１）を備え、網戸の通常時には、係合部と被係合部とが係合して網戸と枠体とが固定して取り付けられ、網戸の変形時には、係合部と被係合部とが離脱して枠体から網戸を取り外すことが可能となることを特徴とする。
【発明の効果】
【００１７】
請求項１に記載の発明によれば、網戸の框を容易な構造で変形可能とすることができるので、幅又は高さを変化させることが可能な網戸を提供することができる。
【００１８】
請求項２に記載の発明によれば、請求項１に記載の網戸の框を弾性的に変形させることが容易となり、確実に網戸の高さ又は幅を変化させることができ、安価で信頼性の高い網戸とすることができる。
【００１９】
請求項３に記載の発明によれば、採光面積を大きくし快適な室内空間を提供することができる開口部装置となる。また、網戸の網材周りに厚い框が見えないので開放感のある室内空間とすることもできる。
【００２０】
請求項４に記載の発明によれば、請求項３に記載の開口部装置に備えられた網戸の框が変形するので、網戸の幅又は高さが変化し、該網戸を枠体に容易に隠蔽して取り付けられるとともに取り外すこともできる。これにより使用者は網戸を容易に着脱し、例えば網戸の清掃等を大きな負担を感じることなく行うことが可能である。
【００２１】
本発明のこのような作用及び利得は、次に説明する発明を実施するための最良の形態から明らかにされる。
【発明を実施するための最良の形態】
【００２２】
以下本発明を図面に示す実施形態に基づき説明する。
【００２３】
図１は第一実施形態にかかる本発明の網戸１０（図３参照）及び該網戸１０が備えられた開口部装置１００を具備する建物１５０の外観を示す正面図である。建物１５０は１階及び２階からなり、各階に開口部を有している。１階には玄関１１０や窓１２０が、２階にも窓１３０が備えられている。２階にはさらに突出し式の障子９６を有する開口部装置１００が設けられ、該障子９６の室内側に網戸１０が配置されている。網戸１０及び開口部装置１００は、本実施形態のような住宅に限定されず、あらゆる建物に適用することができる。これには例えばマンションや公共施設、オフィス等の大型建物等を挙げることができる。
【００２４】
図２は、開口部装置１００が建物１５０に設置された状態における該開口部装置１００の室内側からの正面図である。図２ではＡで示した縁の外側は建物の内壁を表している。本実施形態おいて網戸１０は開口部装置１００の室内側に配置され、突出し式である障子９６（図１、図７参照）は網戸１０の室外側に備えられている。使用者は障子９６を開閉する際に、障子９６の下端に取り付けられ室内側に延在する操作部９５を操作する。これにより障子９６を開閉することができる。そして網戸１０は該障子９６が解放されたときにハエ・蚊等の不快な害虫が室内へ侵入することを防ぐ。
【００２５】
このように配置された開口部装置１００の姿勢で網戸１０のうち、室内側からは網材１３、及び横框１１、１１のみが見え、縦框１２、１２（図３参照）は見えない。よって、建物開口部を広く有効活用することができ、採光面積を従来に比べて大きくとることができる。これにより、快適な室内空間を提供することが可能となる。網戸１０及び開口部装置１００の構造については後で詳しく説明する。
【００２６】
また、縦框１２、１２が見えないので網材１３が框によって縁取られている印象を与えず、開口部が広く見えるので使用者にとって開放感のある網戸１０及び該網戸１０を備えた開口部装置１００とすることもできる。
【００２７】
次に網戸１０について説明する。図３に網戸１０を示した。図３（ａ）は、網戸１０の幅方向略中央における垂直断面図、図３（ｂ）は室内側正面図、図３（ｃ）は網戸１０の高さ方向略中央における水平断面図である。図３（ａ）では紙面右が室外側、紙面左が室内側である。図３（ｃ）では、紙面上が室外側、紙面下が室内側を示している。図３及び適宜示した図を参照しつつ網戸１０について説明する。本実施形態では網戸１０は図３の姿勢においては幅方向中央、高さ方向中央に関してそれぞれ対称形なので、複数の同じ部材が使用されている場合には、ここではいずれか一つについてのみ説明する。
【００２８】
網戸１０は、網状の面材である網材１３と、横框１１、１１と、縦框１２、１２と、網材１３を横框１１、１１及び縦框１２、１２のそれぞれに固定する網押し棒１４とを備えている。以下、各部材について説明する。
【００２９】
網材１３は、網状の面材である。網材１３は実際に害虫等の侵入を防ぐ部分と、縦框１２、１２及び横框１１、１１に取り付けられる部分とを合わせた大きさを有している。網材１３の材質は特に限定されるものではない。好ましくは、後述するような網戸１０の変形に追随して比較的小さな力で弾性的に伸縮可能な材質である例えばＰＰを使用することができる。その他にも例えばガラス繊維、ＰＶＣ、ポリエステル等を使用することも可能である。
【００３０】
横框１１、１１は網材１３の上端部及び下端部に沿って水平に配置される棒状の部材である。図４に図３（ａ）にＢで示した部分を拡大して示した。図４には上述した網材１３及び後述する網押し棒１４も合わせて示されている。各部材の配置は後で説明する。ここでは横框１１、１１について説明する。図４では紙面左が室内側、紙面右が室外側である。横框１１は、図４に示したようにその断面において略矩形の筒状体である筒状部１１ｂと、該筒状部１１ｂの網材１３側に配設され、室外側面が開口することによりコの字型断面を形成する網押し棒挿入部１１ａとを備えている。網押し棒挿入部１１ａのコの字型の内側には、突起１１ｃ、１１ｄが設けられている。
【００３１】
縦框１２、１２は網材１３の左右両端部に沿って垂直に配置される棒状の部材である。図５には図３（ｃ）にＣで示した部分を拡大して示した。図５には上述した網材１３及び後述する網押し棒１４も合わせて示されている。各部材の配置は後で説明する。ここでは縦框１２、１２について説明する。図５では紙面下が室内側、紙面上が室外側である。縦框１２は、図５に示したようにその断面において室外側面が開口することによりコの字型断面を形成する網押し棒挿入部１２ａと、該網押し棒挿入部１２ａの室外側で網材１３が配置されない側（図５における紙面左側）端部に設けられた係合部２０とを備えている。係合部２０も断面形状がコの字型を有しており、該コの字型断面の開口した部分が網戸１０の幅方向内側（図５において紙面右側）を向くように設けられている。また、図３（ｂ）からわかるように係合部２０は縦框１２、１２の全長よりも所定の長さだけ短くされており、縦框１２、１２の長手方向両端部には配設されていない。
【００３２】
ここで横框１１、１１及び縦框１２、１２の図４にＤで示した幅と図５にＥで示した幅とを比較すると、縦框１２、１２の幅が横框１１、１１の幅よりも小さく形成されており、変形し易い構成となっている。
【００３３】
網押し棒１４は、図４、図５に断面が現れているように表面に凹凸を備えた円筒断面を有する棒状の部材である。網押し棒１４は長手方向には、横框１１、１１及び縦框１２、１２の長手方向に沿って配置できるように環状に形成されている。網押し棒１４の断面形状は特に限定されるものではなく網押し棒１４のように表面に凹凸を有していなくても良い。また、網押し棒１４の材質も特に限定されるものではない。ただし、網押し棒１４には後述するように網材１３の外周端部が巻きつけられ、該巻きつけられた状態で横框１１の網押し棒挿入部１１ａ及び縦框１２の網押し棒挿入部１２ａに嵌めこまれるので、所定の柔軟性を有する材料である塩化ビニルやゴム系の材料を好ましく使用することができる。この中でも入手性、コストの観点から塩化ビニルを適用することが好ましい。
【００３４】
以上のような各構成要素を有する網戸１０の組み立ての一例を図３〜図５を参照しつつ説明する。初めに網押し棒１４に網材１３の外周端部が巻きつけられる。一方、横框１１、１１及び縦框１２、１２の端部同士を組み合わせて矩形の枠状体を形成する。本実施形態ではいわゆる縦通しで各框が組み合わせられている。横框１１、１１及び縦框１２、１２の網押し棒挿入部１１ａ、１１ａ、１２ａ、１２ａに、網材１３の端部が巻きつけられた網押し棒１４が嵌め込まれる。これによって網材１３が横框１１、１１、縦框１２、１２に固定される。
【００３５】
このとき、図３（ｂ）から分かるように係合部２０、２０は網戸１０の左右両端のそれぞれに鉛直に配置される。また、横框１１、１１に比べ、縦框１２、１２は細く形成されていることもわかる。
【００３６】
次に網戸１０の変形方法及びその姿勢について説明する。図６（ａ）には変形前の室内側正面図を、図６（ｂ）には変形した姿勢における網戸１０の室内側正面図を示した。網戸１０は、図６（ａ）に示した姿勢から縦框１２、１２を図６（ｂ）に矢印Ｇ、Ｇで示した方向に網戸１０を幅方向に広げるように変形させることができる。これは、上述したように縦框１２、１２が細く形成され、変形させ易くされていることによるものである。かかる変形により網戸１０の高さ方向略中央部で網戸１０の幅方向が最も大きく変形し、その幅は図６（ｂ）にＨで示した幅になる。これは、図６（ａ）にＦで示した通常の姿勢における網戸１０の幅と比較して大きくなっている。網戸１０はこのように変形させることが可能である。
【００３７】
次に網戸１０の開口部装置１００への配置について説明する。図７に網戸１０を備えた開口部装置１００の高さ方向略中央における水平断面図を示した。図７では紙面上が室外側、紙面下が室内側である。図７からわかるように開口部装置１００は、障子９６と、網戸１０とが室内外に略平行に並べられ、該障子９６及び網戸１０の両端部が枠体９０、９０に取り付けられて保持されている。枠体９０、９０を建物の開口部に取り付けることにより開口部装置１００が建物に取り付けられる。
【００３８】
枠体９０、９０は建物開口部の４辺に沿って取り付けられる棒材が組み合わせられて枠状体を形成する部材であり、図７からわかるようにその内側に障子９６及び網戸１０の端部を取り付け可能とする断面形状を有している。具体的には、開口部の中央方向に向けて開口したＥの字型の断面形状を備え、該Ｅの字型の断面のそれぞれの内側に障子９６及び網戸１０の端部が配置されることにより障子９６及び網戸１０が枠体９０、９０に取り付けられる。
【００３９】
障子９６は、いわゆる窓であり、ガラスパネル９７と該ガラスパネル９７の外周端部に取り付けられた障子の框９８、９８とを備えている。
【００４０】
図８は図７にＪで示した部位における拡大図である。図７及び図８を参照しつつ網戸１０の枠体９０への取り付けについて説明する。枠体９０には網戸１０の縦框１２、１２が取り付けられる部位で係合部２０に対応する位置に被係合部９１、９１が設けられている。被係合部９１、９１は、開口部装置１００の幅方向外側に開口を有するコの字型断面を具備する部位である。長手方向は、開口部装置１００の上下方向（図７、８における紙面手前／奥方向）に延在し、枠体９０の垂直に配置される部材の上下方向の全長に亘って配置されている。網戸１０は、図８のように、該網戸１０の係合部２０を枠体９０の被係合部９１に互いに引っ掛けるように係合させることにより枠体９０に取り付けられる。
【００４１】
開口部装置１００では、室内側正面視で視認可能な縁を構成する図７（及び図２）にＡ、Ａで示した縁を表す線よりも網戸１０の縦框１２、１２の全部が開口部装置１００の幅方向外側に配置される。従って、縦框１２、１２は室内側正面視で隠蔽され、上述したような採光面積が広く、快適な開口部装置とすることができる。
【００４２】
本実施形態では、図７にＡ、Ａで示した線よりも縦框１２、１２の全部が開口部装置１００の幅方向外側に配置されたが、該Ａ、Ａで示した線よりもある程度縦框１２、１２が網戸１０の中心側に配置されても本発明の上記効果を発揮することができる。従来の網戸と比較して網戸の框がより大きく開口部装置の幅方向外側に隠蔽されれば本発明の開口部装置とすることができる。具体的には縦框１２、１２の幅の４０％以上が隠蔽されることが好ましい。
【００４３】
次に図７に示した開口部装置１００の姿勢から、網戸１０を取り外す場合の開口部装置１００について説明する。図９に網戸１０を取り外す場面における開口部装置１００の水平断面図を示す。視点は図７と同じである。また、図１０は図９にＫで示した部位の拡大図である。網戸１０は上述したように縦框１２、１２の変形により幅方向の大きさが変化可能とされている。従って使用者は、図７に示した網戸１０が取り付けられた状態から縦框１２、１２を上述したように変形操作し、左右の縦框１２、１２の間隔を広げるように移動して網戸１０を取り外すことができる。このとき、図１０に示したように網戸１０の係合部２０が枠体９０の被係合部９１から離脱することにより、網戸１０が枠体９０から取り外し可能とされる。これにより網戸１０を容易に取り外すことができ、使用者は手軽に網戸１０の清掃等をすることが可能となる。また、網戸１０の幅を変化させることによって取り外しを可能としたので、網戸１０を保持する枠体９０、９０の間隔は従来の網戸の間隔と同じとすることができる。これにより枠体９０、９０の間隔を従来に比べて広げる必要もなく、設計の大幅な変更や枠体９０、９０が全体として大きくなることを防ぐことができ、設計の自由度が高い開口部装置１００とすることができる。
【００４４】
網戸１０を開口部装置１００に取り付ける時には上述の手順を遡るように操作すればよい。
【００４５】
以上に説明した実施形態に係る開口部装置１００では、網戸１０の縦框１２、１２が変形可能とされることにより網戸１０の左右方向幅を変化させることができる。さらに変形例として横框を変形可能とし、上下方向に高さを変化させることができる網戸であってもよい。この場合には、上下の框が室内側正面視から隠蔽される開口部装置とすることができる。
【００４６】
以上、現時点において、最も、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う網戸及び該網戸を備えた開口部装置も本発明の技術的範囲に包含されるものとして理解されなければならない。
【図面の簡単な説明】
【００４７】
【図１】一つの実施形態にかかる本発明の開口部装置が備えられた建物の外観正面図である。
【図２】開口部装置が建物開口部に備えられたときの室内視正面図である。
【図３】網戸の縦断面図、正面図及び横断面図を示す図である。
【図４】図３（ａ）にＢで示した部位を拡大して示す図である。
【図５】図３（ｃ）にＣで示した部位を拡大して示す図である。
【図６】網戸幅の変形の手順を順を追って示す正面図である。
【図７】開口部装置の水平断面図である。
【図８】図７にＪで示した部位を拡大して示す図である。
【図９】図７に示した開口部装置から網戸を取り外す場面を示す断面図である。
【図１０】図９にＫで示した部位を拡大して示す図である。
【図１１】従来の開口部装置が取り付けられた建物開口部の室内視正面図である。
【符号の説明】
【００４８】
１０  網戸
１１  横框
１２  縦框
１３  網材
１４  網押し棒
２０  係合部
９０  枠体
９１  被係合部
９６  障子
１００  開口部装置
１５０  建物
【図１】
2007186864.tif 000003
【図２】
2007186864.tif 000004
【図３】
2007186864.tif 000005
【図４】
2007186864.tif 000006
【図５】
2007186864.tif 000007
【図６】
2007186864.tif 000008
【図７】
2007186864.tif 000009
【図８】
2007186864.tif 000010
【図９】
2007186864.tif 000011
【図１０】
2007186864.tif 000012
【図１１】
2007186864.tif 000013